(57)【要約】【課題】取得された生体音に関する情報を適切に活用する。【手段】電子カルテ処理装置（１２）は、生体音取得部（１１１）が取得した生体音の解析結果に関する解析情報を、生体音を解析する解析部（１１２）から受信する受信部（１２１）と、受信した解析情報を、電子カルテの第１領域（１３１）に表示する表示制御部（１２３）とを備える。【選択図】図１
2019021169.tif 000002
【特許請求の範囲】
【請求項１】
生体音取得部が取得した生体音の解析結果に関する解析情報を、前記生体音を解析する解析部から受信する受信部と、
前記受信した解析情報を、電子カルテの第１領域に表示する表示制御部と
を備えることを特徴とする電子カルテ処理装置。
【請求項２】
前記受信部は、前記生体音取得部が取得した前記生体音を示す生体音情報を更に受信し、
前記表示制御部は、前記受信した生体音情報を、前記電子カルテの第２領域に表示する
ことを特徴とする請求項１に記載の電子カルテ処理装置。
【請求項３】
前記表示制御部は、（ｉ）前記生体音情報を表示させるためにユーザによって操作可能な操作表示物を、前記電子カルテの第３領域に表示し、（ｉｉ）前記操作表示物が前記ユーザによって操作されたことをトリガに、前記第２領域における前記生体音情報の表示を開始する
ことを特徴とする請求項２に記載の電子カルテ処理装置。
【請求項４】
前記受信した解析情報を加工して加工情報を生成する加工部を更に備え、
前記表示制御部は、前記加工部が前記加工情報を生成した場合には、前記受信した解析情報に加えて又は代えて、前記加工部が取得した前記加工情報を、前記電子カルテの第４領域に表示する
ことを特徴とする請求項１から３のいずれか一項に記載の電子カルテ処理装置。
【請求項５】
前記受信した解析情報を、前記電子カルテを表示するために用いるカルテ情報の一部として記憶する記憶部を更に備える
ことを特徴とする請求項１から４のいずれか一項に記載の電子カルテ処理装置。
【請求項６】
生体音取得部が取得した生体音の解析結果に関する解析情報を、前記生体音を解析する解析部から受信する受信部と、
前記受信した解析情報を、電子カルテを表示するために用いるカルテ情報の一部として記憶する記憶部と
を備えることを特徴とする電子カルテ処理装置。
【請求項７】
前記受信部は、前記生体音取得部が取得した前記生体音を示す生体音情報を更に受信し、
前記記憶部は、前記受信した生体音情報を、前記カルテ情報の一部として更に記憶する
ことを特徴とする請求項５又は６に記載の電子カルテ処理装置。
【請求項８】
前記受信した解析情報を加工して加工情報を生成する加工部を更に備え、
前記記憶部は、前記加工部が生成した前記加工情報を、前記カルテ情報の一部として更に記憶する
ことを特徴とする請求項５から７のいずれか一項に記載の電子カルテ処理装置。
【請求項９】
前記加工部は、前記受信した解析情報を加工して、前記生体音の特性を定量的に示すパラメータを含む前記加工情報を生成する
ことを特徴とする請求項４又は８に記載の電子カルテ処理装置。
【請求項１０】
前記解析情報は、前記生体音の特性を定量的に示すパラメータを含む
ことを特徴とする請求項１から９のいずれか一項に記載の電子カルテ処理装置。
【請求項１１】
生体音を取得する生体音取得部と、
前記生体音取得部が取得した前記生体音を解析する解析部と、
前記解析部の解析結果に関する解析情報を、電子カルテに関する処理を行う電子カルテ処理装置に送信する送信部と
を備えることを特徴とする生体音取得装置。
【請求項１２】
前記解析部は、前記生体音を解析することで、前記生体音の特性を定量的に示すパラメータを前記解析情報の少なくとも一部として生成する
ことを特徴とする請求項１１に記載の生体音取得装置。
【請求項１３】
前記解析部は、前記生体音を解析することで、前記生体音に含まれる異常音に関する情報を前記解析情報の少なくとも一部として生成する
ことを特徴とする請求項１１又は１２に記載の生体音取得装置。
【請求項１４】
前記送信部は、前記生体音取得部が取得した前記生体音を示す生体音情報を、前記電子カルテ処理装置に更に送信する
ことを特徴とする請求項１１から１３のいずれか一項に記載の生体音取得装置。
【請求項１５】
請求項１から１０のいずれか一項に記載の電子カルテ処理装置と、請求項１１から１４のいずれか一項に記載の生体音取得装置とを備える
ことを特徴とする電子カルテ処理システム。
【請求項１６】
生体音取得部が取得した生体音の解析結果に関する解析情報を、前記生体音を解析する解析部から受信する受信工程と、
前記受信した解析情報を、電子カルテの第１領域に表示する表示制御工程と
を備えることを特徴とする電子カルテ処理方法。
【請求項１７】
生体音取得部が取得した生体音の解析結果に関する解析情報を、前記生体音を解析する解析部から受信する受信工程と、
前記受信した解析情報を、電子カルテを表示するために用いるカルテ情報の一部として記憶部に記憶させる記憶工程と
を備えることを特徴とする電子カルテ処理方法。
【請求項１８】
生体音取得部が取得した生体音を解析する解析工程と、
前記解析工程における解析結果に関する解析情報を、電子カルテに関する処理を行う電子カルテ処理装置に送信する送信工程と
を備えることを特徴とする生体音取得方法。
【請求項１９】
コンピュータに、請求項１６又は１７に記載の電子カルテ処理方法を実行させる
ことを特徴とするコンピュータプログラム。
【請求項２０】
コンピュータに、請求項１８に記載の生体音取得方法を実行させる
ことを特徴とするコンピュータプログラム。
【発明の詳細な説明】
【技術分野】
【０００１】
本発明は、電子カルテに関する処理を行う電子カルテ処理装置、電子カルテのために用いられる生体音を取得可能な生体音取得装置、電子カルテに関する処理を行う電子カルテ処理システム、電子カルテに関する処理を行う電子カルテ処理方法、電子カルテのために用いられる生体音を取得可能な生体音取得方法、及び、コンピュータに電子カルテ処理方法若しくは生体音取得方法を実行させるコンピュータプログラムの技術分野に関する。
【背景技術】
【０００２】
特許文献１には、遠隔診断システムが記載されている。この遠隔診断システムは、ユーザが保有するユーザ端末と、医師が保有する医師端末とを備える。ユーザ端末は、ユーザが電子聴診器で取得した聴診データ（つまり、生体の体内に起こる音響のデータ）を通信装置によって医師端末に送信する。医師端末は、ユーザ端末が送信した聴診データを受信し、受信した聴診データに対する医師の診断応答をユーザ端末に送信する。
【先行技術文献】
【特許文献】
【０００３】
【特許文献１】特開２００７−１５９６８２号公報
【発明の概要】
【発明が解決しようとする課題】
【０００４】
特許文献１に記載した遠隔診断システムでは、電子聴診器で取得した聴診データ（つまり、音響そのものを示すデータ）がユーザ端末から医師端末に送信され、当該聴診データ自体が医師によって参照されるに過ぎない。このため、特許文献１に記載した遠隔診断システムでは、聴診データの活用という点で改善の余地がある。
【０００５】
本発明が解決しようとする課題には上記のようなものが一例として挙げられる。本発明は、取得された生体音に関する情報を適切に活用可能な電子カルテ処理装置、生体音取得装置、電子カルテ処理システム、電子カルテ処理方法、生体音取得方法、及び、コンピュータプログラムを提供することを課題とする。
【課題を解決するための手段】
【０００６】
本発明の電子カルテ処理装置の第１の態様は、生体音取得部が取得した生体音の解析結果に関する解析情報を、前記生体音を解析する解析部から受信する受信部と、前記受信した解析情報を、電子カルテの第１領域に表示する表示制御部とを備える。
【０００７】
本発明の電子カルテ処理装置の第２の態様は、生体音取得部が取得した生体音の解析結果に関する解析情報を、前記生体音を解析する解析部から受信する受信部と、前記受信した解析情報を、電子カルテを表示するために用いるカルテ情報の一部として記憶する記憶部とを備える。
【０００８】
本発明の生体音取得装置の第１の態様は、生体音を取得する生体音取得部と、前記生体音取得部が取得した前記生体音を解析する解析部と、前記解析部の解析結果に関する解析情報を、電子カルテに関する処理を行う電子カルテ処理装置に送信する送信部とを備える。
【０００９】
本発明の電子カルテ処理システムの第１の態様は、上述した本発明の電子カルテ処理装置の第１又は２の態様と、上述した本発明の生体音取得装置の第１の態様とを備える。
【００１０】
本発明の電子カルテ処理方法の第１の態様は、生体音取得部が取得した生体音の解析結果に関する解析情報を、前記生体音を解析する解析部から受信する受信工程と、前記受信した解析情報を、電子カルテの第１領域に表示する表示制御工程とを備える。
【００１１】
本発明の電子カルテ処理方法の第２の態様は、生体音取得部が取得した生体音の解析結果に関する解析情報を、前記生体音を解析する解析部から受信する受信工程と、前記受信した解析情報を、電子カルテを表示するために用いるカルテ情報の一部として記憶部に記憶させる記憶工程とを備える。
【００１２】
本発明の生体音取得方法の第１の態様は、生体音取得部が取得した生体音を解析する解析工程と、前記解析工程における解析結果に関する解析情報を、電子カルテに関する処理を行う電子カルテ処理装置に送信する送信工程とを備える。
【００１３】
本発明のコンピュータプログラムの第１の態様は、コンピュータに上述した本発明の電子カルテ処理方法の第１又は２の態様を実行させる。
【００１４】
本発明のコンピュータプログラムの第２の態様は、コンピュータに上述した本発明の生体音取得方法の第１の態様を実行させる。
【図面の簡単な説明】
【００１５】
【図１】図１は、本実施例の電子カルテ処理システムの構成を示すブロック図である。
【図２】図２は、電子聴診器の動作の流れを示すフローチャートである。
【図３】図３は、呼吸音情報の一例を示すグラフである。
【図４】図４は、解析情報の一例を示すテーブルである。
【図５】図５は、呼吸音情報及び解析情報をカルテ情報として記憶する動作の流れを示すフローチャートである。
【図６】図６は、電子カルテを表示する動作の流れを示すフローチャートである。
【図７】図７は、ディスプレイに表示される電子カルテの一例を示す平面図である。
【図８】図８は、ディスプレイに表示される電子カルテの一例を示す平面図である。
【発明を実施するための形態】
【００１６】
以下、電子カルテ処理装置、生体音取得装置、電子カルテ処理システム、電子カルテ処理方法、生体音取得方法、及び、コンピュータプログラムの実施形態について説明を進める。
【００１７】
（電子カルテ処理装置の実施形態）
＜１＞
電子カルテ処理装置の第１実施形態は、生体音取得部が取得した生体音の解析結果に関する解析情報を、前記生体音を解析する解析部から受信する受信部と、前記受信した解析情報を、電子カルテの第１領域に表示する表示制御部とを備える。
【００１８】
電子カルテ処理装置の第１実施形態によれば、生体音の解析結果に関する解析情報が、電子カルテに表示される。このため、生体音そのものを示す聴診データが受信された場合にのみ当該受信された聴診データが医師によって参照されるに過ぎない上述した特許文献１に記載のシステムと比較して、生体音取得部が取得した生体音に関する情報（ここでは、解析情報）が、電子カルテを表示するために用いられるカルテ情報として適切に活用される。特に、電子カルテ処理装置の第１実施形態では、生体音の解析結果に関する解析情報が表示されるがゆえに、生体音そのものを示す生体音情報が電子カルテの一部として表示されるに過ぎない比較例の電子カルテ処理装置と比較して、生体の状態に関する情報が、医師間において電子カルテを介して相対的に正確に又はスムーズに伝達可能である。更には、生体音の解析結果が表示されるがゆえに、医師ほどの医療知識を有していない医療従事者（例えば、看護師等）であっても、生体の状態を相対的に容易に把握することができる。
【００１９】
＜２＞
電子カルテ処理装置の第１実施形態の他の態様では、前記受信部は、前記生体音取得部が取得した前記生体音を示す生体音情報を更に受信し、前記表示制御部は、前記受信した生体音情報を、前記電子カルテの第２領域に表示する。
【００２０】
この態様によれば、生体音取得部が取得した生体音に関する他の情報（ここでは、生体音情報）もまた、電子カルテを表示するために用いられるカルテ情報として適切に活用される。
【００２１】
＜３＞
上述した生体音情報を電子カルテに表示する電子カルテ処理装置の他の態様では、前記表示制御部は、（ｉ）前記生体音情報を表示させるためにユーザによって操作可能な操作表示物を、前記電子カルテの第３領域に表示し、（ｉｉ）前記操作表示物が前記ユーザによって操作されたことをトリガに、前記第２領域における前記生体音情報の表示を開始する。
【００２２】
この態様によれば、ユーザ（例えば、医師や医療従事者等）が必要なときに生体音情報が電子カルテに表示されるため、生体音情報の表示に起因してユーザが感じる煩わしさが低減可能となる。
【００２３】
＜４＞
電子カルテ処理装置の第１実施形態の他の態様では、前記受信した解析情報を加工して加工情報を生成する加工部を更に備え、前記表示制御部は、前記加工部が前記加工情報を生成した場合には、前記受信した解析情報に加えて又は代えて、前記加工部が生成した前記加工情報を、前記電子カルテの第４領域に表示する。
【００２４】
この態様によれば、解析情報を加工する（例えば、解析情報に基づく演算処理を行う）ことで得られる加工情報もまた、電子カルテを表示するために用いられるカルテ情報として適切に活用される。
【００２５】
＜５＞
電子カルテ処理装置の第１実施形態の他の態様では、前記受信した解析情報を、前記電子カルテを表示するために用いるカルテ情報の一部として記憶する記憶部を更に備える。
【００２６】
この態様によれば、生体音の解析結果に関する解析情報が、カルテ情報の一部として記憶部に記憶される。このため、生体音取得部が取得した生体音に関する情報（ここでは、解析情報）が、カルテ情報として適切に活用される。
【００２７】
＜６＞
電子カルテ処理装置の第２実施形態は、生体音取得部が取得した生体音の解析結果に関する解析情報を、前記生体音を解析する解析部から受信する受信部と、前記受信した解析情報を、電子カルテを表示するために用いるカルテ情報の一部として記憶する記憶部とを備える。
【００２８】
電子カルテ処理装置の第２実施形態によれば、生体音の解析結果に関する解析情報が、カルテ情報の一部として記憶部に記憶される。このため、生体音そのものを示す生体音情報が受信された場合にのみ当該受信した生体音情報が医師によって参照されるに過ぎない上述した特許文献１に記載のシステムと比較して、生体音取得部が取得した生体音に関する情報（ここでは、解析情報）が、カルテ情報として適切に活用される。
【００２９】
特に、電子カルテ処理装置の第２実施形態では、生体音の解析結果に関する解析情報が記憶されるがゆえに、生体音そのものを示す生体音情報がカルテ情報の一部として記憶されるに過ぎない比較例の電子カルテ処理装置と比較して、生体の状態に関する情報が、医師間において電子カルテを介して相対的に正確に又はスムーズに伝達可能である。更に、医師ほどの医療知識を有していない医療従事者（例えば、看護師等）であっても、生体の状態を相対的に容易に把握することができる。
【００３０】
＜７＞
上述した記憶部を備える電子カルテ処理装置の他の態様では、前記受信部は、前記生体音取得部が取得した前記生体音を示す生体音情報を更に受信し、前記記憶部は、前記受信した生体音情報を、前記カルテ情報の一部として更に記憶する。
【００３１】
この態様によれば、生体音取得部が取得した生体音に関する情報（ここでは、生体音情報）もまた、カルテ情報として適切に活用される。
【００３２】
＜８＞
上述した記憶部を備える電子カルテ処理装置の他の態様では、前記受信した解析情報を加工して加工情報を生成する加工部を更に備え、前記記憶部は、前記加工部が生成した前記加工情報を、前記カルテ情報の一部として更に記憶する。
【００３３】
この態様によれば、解析情報を加工する（例えば、解析情報に基づく演算処理を行う）ことで得られる加工情報もまた、カルテ情報として適切に活用される。
【００３４】
＜９＞
上述した加工部を備える電子カルテ処理装置の他の態様では、前記加工部は、前記受信した解析情報を加工して、前記生体音の特性を定量的に示すパラメータを含む前記加工情報を生成する。
【００３５】
この態様によれば、生体音の特性が定量的に電子カルテに表示可能となるため、生体の状態に関する情報が、医師間において電子カルテを介してより一層正確に又はスムーズに伝達可能である。更には、医師ほどの医療知識を有していない医療従事者であっても、生体の状態をより一層容易に把握することができる。
【００３６】
＜１０＞
電子カルテ処理装置の第１又は第２実施形態の他の態様では、前記解析情報は、前記生体音の特性を定量的に示すパラメータを含む。
【００３７】
この態様によれば、生体音の特性が定量的に電子カルテに表示可能となるため、生体の状態に関する情報が、医師間において電子カルテを介してより一層正確に又はスムーズに伝達可能である。更には、医師ほどの医療知識を有していない医療従事者であっても、生体の状態をより一層容易に把握することができる。
【００３８】
（生体音取得装置の実施形態）
＜１１＞
生体音取得装置の実施形態は、生体音を取得する生体音取得部と、前記生体音取得部が取得した前記生体音を解析する解析部と、前記解析部の解析結果に関する解析情報を、電子カルテに関する処理を行う電子カルテ処理装置に送信する送信部とを備える。
【００３９】
生体音取得装置の実施形態によれば、解析情報が電子カルテ処理装置に送信されるがゆえに、電子カルテ処理装置において、解析情報が、電子カルテを表示するために用いられるカルテ情報として適切に活用可能となる。
【００４０】
＜１２＞
生体音取得装置の他の態様では、前記解析部は、前記生体音を解析することで、前記生体音の特性を定量的に示すパラメータを前記解析情報の少なくとも一部として生成する。
【００４１】
この態様によれば、解析情報が送信される電子カルテ処理装置において、生体音の特性が定量的に電子カルテに表示可能となる。このため、生体の状態に関する情報が、医師間において電子カルテを介してより一層正確に又はスムーズに伝達可能である。更には、医師ほどの医療知識を有していない医療従事者であっても、生体の状態をより一層容易に把握することができる。
【００４２】
＜１３＞
生体音取得装置の他の態様では、前記解析部は、前記生体音を解析することで、前記生体音に含まれる異常音に関する情報を前記解析情報の少なくとも一部として生成する。
【００４３】
この態様によれば、解析情報が送信される電子カルテ処理装置において、生体音の異常に関する情報が電子カルテに表示可能となる。
【００４４】
＜１４＞
生体音取得装置の他の態様では、前記送信部は、前記生体音取得部が取得した前記生体音を示す生体音情報を、前記電子カルテ処理装置に更に送信する。
【００４５】
この態様によれば、生体音情報が送信される電子カルテ処理装置において、生体音情報もまた、カルテ情報として適切に活用可能となる。
【００４６】
（電子カルテ処理システムの実施形態）
＜１５＞
電子カルテ処理システムの実施形態は、上述した電子カルテ処理装置の第１又は第２実施形態（或いは、その他の態様）と、上述した生体音取得装置の実施形態（或いは、その他の態様）とを備える。
【００４７】
電子カルテ処理システムの実施形態によれば、上述した電子カルテ処理装置の第１又は第２実施形態（或いは、その他の態様）及び／又は上述した生体音取得装置の実施形態（或いは、その他の態様）が享受可能な効果と同様の効果が享受可能である。
【００４８】
（電子カルテ処理方法の実施形態）
＜１６＞
電子カルテ処理方法の第１実施形態は、生体音取得部が取得した生体音の解析結果に関する解析情報を、前記生体音を解析する解析部から受信する受信工程と、前記受信した解析情報を、電子カルテの第１領域に表示する表示制御工程とを備える。
【００４９】
電子カルテ処理方法の第１実施形態によれば、上述した電子カルテ処理装置の第１実施形態が享受可能な効果と同様の効果が享受可能である。尚、電子カルテ処理装置の第１実施形態が採用する各種態様に対応して、電子カルテ処理方法の第１実施形態も、各種態様を採用してもよい。
【００５０】
＜１７＞
電子カルテ処理方法の第２実施形態は、生体音取得部が取得した生体音の解析結果に関する解析情報を、前記生体音を解析する解析部から受信する受信工程と、前記受信した解析情報を、電子カルテを表示するために用いるカルテ情報の一部として記憶部に記憶させる記憶工程とを備える。
【００５１】
電子カルテ処理方法の第２実施形態によれば、上述した電子カルテ処理装置の第２実施形態が享受可能な効果と同様の効果が享受可能である。尚、電子カルテ処理装置の第２実施形態が採用する各種態様に対応して、電子カルテ処理方法の第２実施形態も、各種態様を採用してもよい。
【００５２】
（生体音取得方法の実施形態）
＜１８＞
生体音取得方法の実施形態は、生体音取得部が取得した生体音を解析する解析工程と、前記解析工程における解析結果に関する解析情報を、電子カルテに関する処理を行う電子カルテ処理装置に送信する送信工程とを備える。
【００５３】
生体音取得方法の実施形態によれば、上述した生体音取得装置の実施形態が享受可能な効果と同様の効果が享受可能である。尚、生体音取得装置の実施形態が採用する各種態様に対応して、生体音取得方法の実施形態も、各種態様を採用してもよい。
【００５４】
（コンピュータプログラムの実施形態）
＜１９＞
コンピュータプログラムの第１実施形態は、コンピュータに上述した電子カルテ処理方法の第１又は第２実施形態（或いは、その他の態様）を実行させる。
【００５５】
コンピュータプログラムの第１実施形態によれば、上述した電子カルテ処理方法の第１又は第２実施形態（或いは、その他の態様）が享受する効果と同様の効果を好適に享受することができる。
【００５６】
＜２０＞
コンピュータプログラムの第２実施形態は、コンピュータに上述した生体音取得方法の実施形態（或いは、その他の態様）を実行させる。
【００５７】
コンピュータプログラムの第２実施形態によれば、上述した生体音取得方法の実施形態（或いは、その他の態様）が享受する効果と同様の効果を好適に享受することができる。
【００５８】
電子カルテ処理装置、生体音取得装置、電子カルテ処理システム、電子カルテ処理方法、生体音取得方法、及び、コンピュータプログラムの実施形態の作用及び他の利得については、以下に示す実施例において、より詳細に説明する。
【００５９】
以上説明したように、電子カルテ処理装置の第１実施形態は、受信部と、表示制御部とを備える。電子カルテ処理装置の第２実施形態は、受信部と、記憶部とを備える。生体音取得装置の実施形態は、生体音取得部と、解析部と、送信部とを備える。電子カルテ処理システムの実施形態は、電子カルテ処理装置の第１又は第２実施形態と、生体音取得装置の実施形態とを備える。電子カルテ処理方法の第１実施形態は、受信工程と、表示制御工程とを備える。電子カルテ処理方法の第２実施形態は、受信工程と、記憶工程とを備える。生体音取得方法の実施形態は、解析工程と、送信工程とを備える。コンピュータプログラムの第１実施形態は、コンピュータに上述した電子カルテ処理方法の第１又は第２実施形態を実行させる。コンピュータプログラムの第２実施形態は、コンピュータに上述した生体音取得方法の実施形態を実行させる。従って、取得された生体音に関する情報を適切に活用可能となる。
【実施例】
【００６０】
以下、図面を参照しながら、電子カルテ処理装置、生体音取得装置、電子カルテ処理システム、電子カルテ処理方法、生体音取得方法、及び、コンピュータプログラムの実施例について説明する。
【００６１】
（１）電子カルテ処理システム１の構成
初めに、図１を参照しながら、本実施例の電子カルテ処理システム１の構成について説明する。図１は、本実施例の電子カルテ処理システム１の構成を示すブロック図である。
【００６２】
図１に示すように、電子カルテ処理システム１は、上述した「生体音取得装置」の一具体例である電子聴診器１１と、電子カルテ処理装置１２とを備える。電子聴診器１１は、呼吸音取得部１１１と、解析部１１２と、送信部１１３とを備える。電子カルテ処理装置１２は、受信部１２１と、記憶部１２２と、表示制御部１２３と、ディスプレイ１２４と、加工部１２５とを備えている。尚、呼吸音取得部１１１、解析部１１２、送信部１１３、受信部１２１、記憶部１２２、表示制御部１２３、ディスプレイ１２４及び加工部１２５の夫々の動作については、後に図２等を参照しながら詳述するが、以下にその概略について簡単に説明する。
【００６３】
呼吸音取得部１１１は、患者の呼吸音を取得する。このため、呼吸音取得部１１１は、呼吸音センサを含む。呼吸音センサの一例として、呼吸音に起因した空気の振動を直接検出するマイクロフォンや、呼吸音に起因した媒質（例えば、患者の体表）の振動が伝達されたダイヤフラムの振動を検出することで呼吸音を検出する振動センサ等があげられる。解析部１１２は、呼吸音取得部１１１が取得した呼吸音を解析する。解析部１１２は、例えば、電子聴診器１１が備えるＣＰＵ（Ｃｅｎｔｒａｌ  Ｐｒｏｃｅｓｓｉｎｇ  Ｕｎｉｔ）等の処理装置上でコンピュータプログラムが実行されることで論理的に実現される処理ブロックである。送信部１１３は、呼吸音取得部１１１が取得した呼吸音を示す呼吸音情報及び解析部１１２の解析結果を示す解析情報を、有線又は無線の通信網を介して、電子カルテ処理装置１２に送信する。
【００６４】
受信部１２１は、電子聴診器１１から送信される呼吸音情報及び解析情報を受信する。記憶部１２２は、受信部１２１が受信した呼吸音情報及び解析情報を、電子カルテを表示するために用いるカルテ情報の一部として記憶する。記憶部１２２は、例えば、ハードディスクや、ソリッドステートドライブを含む。表示制御部１２３は、カルテ情報に基づいて電子カルテを表示するようにディスプレイ１２４を制御する。その結果、ディスプレイ１２４には、カルテ情報の内容を反映した電子カルテが表示される。カルテ情報に呼吸音情報及び解析情報が含まれているがゆえに、ディスプレイ１２４には、呼吸音情報及び解析情報もまた表示される。つまり、ディスプレイ１２４には、呼吸音情報及び解析情報の内容を反映した電子カルテが表示される。加工部１２５は、解析情報（或いは、必要に応じて、カルテ情報の少なくとも一部）を加工する。加工部１２５が解析情報を加工した場合には、表示制御部１２３は、加工部１２５が解析情報を加工することで生成した加工情報に基づいて電子カルテを表示するようにディスプレイ１２４を制御する。その結果、ディスプレイ１２４には、加工情報の内容を反映した電子カルテが表示される。表示制御部１２３及び加工部１２５の夫々は、例えば、電子カルテ処理装置１２が備えるＣＰＵ等の処理装置上でコンピュータプログラムが実行されることで論理的に実現される処理ブロックである。
【００６５】
（２）電子カルテ処理システム１の動作
続いて、電子カルテ処理システム１の動作について説明する。
【００６６】
（２−１）電子聴診器１１の動作
はじめに、図２を参照しながら、電子聴診器１１の動作について説明する。図２は、電子聴診器１１の動作の流れを示すフローチャートである。
【００６７】
図２に示すように、まず、呼吸音取得部１１１は、生体の呼吸音を取得する（ステップＳ１１１）。具体的には、ユーザ（例えば、医師や医療従事者等）は、呼吸音取得部１１１が含む呼吸音センサを生体の体表面等に押し当てる。その結果、呼吸音センサが呼吸音を検出する。呼吸音取得部１１１は、取得した呼吸音を示す呼吸音情報を、解析部１１２に出力する。
【００６８】
呼吸音情報は、例えば、図３に示すように、例えば、呼吸音の強度（つまり、音レベルに相当する振幅レベル）を時間軸上の波形として特定可能なデータ（或いは、信号）である。患者の呼吸が吸気（つまり、肺への空気の取り込み）と呼気（つまり、肺からの空気の吐き出し）との繰り返しであることを考慮すれば、呼吸音情報は、周期的に強弱を繰り返す呼吸音を示すことになる。呼吸音の周期は、吸気が行われる吸気期間と呼気が行われる呼気期間とを合算した期間に相当する。呼吸音の周期は、生体毎にばらつきがあるものの、概ね数秒（例えば、４秒から５秒）になる。
【００６９】
呼吸音取得部１１１は、後の解析部１１２の解析に必要な期間分の呼吸音を取得する。つまり、所定期間に満たない期間分の呼吸音を示す呼吸音情報が解析部１１２に入力されただけでは解析部１１２が呼吸音情報を解析することができない場合には、呼吸音取得部１１１は、所定期間（例えば、数秒、十数秒、又は、数十秒の期間）分の呼吸音を取得する。
【００７０】
その後、解析部１１２は、呼吸音取得部１１１が取得した呼吸音情報を解析する（ステップＳ１１２）。具体的には、解析部１１２は、呼吸音において観測される異常音を特定するように呼吸音情報を解析する。具体的には、呼吸音（つまり、肺音）は、狭義の呼吸音と、異常音の一例である副雑音とに分類される。狭義の呼吸音は、正常音の一例である正常な呼吸音と、異常音の一例である異常な呼吸音とに分類される。正常な呼吸音は、肺胞呼吸音と、気管支呼吸音と、気管支肺胞呼吸音と、気管呼吸音とに分類される。異常な呼吸音は、減弱・消失に起因した呼吸音と、増強に起因した呼吸音と、呼気延長に起因した呼吸音と、気管支呼吸音化に起因した呼吸音と、気管狭窄音とに分類される。副雑音は、ラ音と、その他の音とに分類される。ラ音は、連続性ラ音と、断続性ラ音とに分類される。連続性ラ音は、低音性連続性ラ音（類鼾音）と、高音性連続性ラ音（笛声音）と、スクウォーク（吸気性の連続性ラ音）とに分類される。断続性ラ音は、細かい断続性ラ音（捻髪音）と、粗い断続性ラ音（水泡音）とに分類される。その他の音は、胸膜摩擦音と、肺血管性雑音とに分類される。以下の説明では、解析部１１２が、呼吸音に含まれる副雑音（特に、類鼾音、笛声音、捻髪音及び水泡音）を特定するように呼吸音情報を解析する例を用いて説明を進める。尚、解析部１１２は、異常音を特定するための解析方法として既存の解析方法（例えば、本願発明者等が発明者となっている国際公開第２０１５／０６３８３４号パンフレット等に記載された解析方法）を採用可能である。このため、解析部１１２が採用する解析方法の詳細な説明は省略する。但し、解析部１１２は、呼吸音において観測される任意の異常音を特定するように呼吸音情報を解析してもよいことは言うまでもない。
【００７１】
本実施例では、解析部１１２は、呼吸音の特性を定量的に示す定量評価値を算出するように、呼吸音情報を解析する。特に、上述したように解析部１１２が副雑音を特定するように呼吸音情報を解析しているがゆえに、解析部１１２は、呼吸音の特性を定量的に示す定量評価値を算出するように、呼吸音情報を解析する。定量評価値は、副雑音の特性を、量に関する単位を用いて表記可能なパラメータである。例えば、定量評価値は、副雑音の特性に関する数値そのものを示していてもよい。例えば、定量評価値は、副雑音の特性を、その特性に応じて区分可能な段階的な区分（言い換えれば、レベル）を用いて示していてもよい。
【００７２】
副雑音の特性の一例として、副雑音の強度（例えば、平均強度や、最大強度、瞬間強度等）があげられる。この場合、解析部１１２は、副雑音の強度を定量的に示す定量評価値を算出するように、呼吸音情報を解析する。副雑音の特性の他の一例として、副雑音の強度の時間推移があげられる。この場合、解析部１１２は、副雑音の強度の時間推移を定量的に示す定量評価値を算出するように、呼吸音情報を解析する。尚、副雑音の強度の時間推移を定量的に示す定量評価値は、実質的には、呼吸音の強度を時間軸上の波形として特定可能なデータと等価である。或いは、副雑音の特性の他の一例として、副雑音が観測される期間があげられる。この場合、解析部１１２は、副雑音が観測される期間の長さを定量的に示す定量評価値を算出するように、呼吸音情報を解析してもよい。
【００７３】
以上説明した呼吸音情報の解析の結果、解析部１１２は、呼吸音情報の解析結果を示す解析情報を生成する。その後、解析部１１２は、生成した解析情報を、送信部１１３に出力する。
【００７４】
上述したように、本実施例では、解析部１１２は、呼吸音情報を解析することで、副雑音を特定する。このため、解析情報は、図４に示すように、副雑音の有無に関する情報を含む。更に、上述したように、本実施例では、解析部１１２は、呼吸音情報を解析することで、副雑音の強度を定量的に示す定量評価値を特定する。このため、解析情報は、図４に示すように、副雑音の強度を定量的に示す定量評価値に関する情報を含む。尚、図４は、副雑音の強度そのものを示す定量評価値が例示されている。
【００７５】
その後、送信部１１３は、ステップＳ１１１で呼吸音取得部１１１が取得した呼吸音情報及びステップＳ１１２で解析部１１２が生成した解析情報を、有線又は無線の通信網を介して、電子カルテ処理装置１２に送信する（ステップＳ１１３）。
【００７６】
電子聴診器１１は、以上のステップＳ１１１からステップＳ１１３の処理を、聴診を終了するとユーザが判断するまで繰り返し行う（ステップＳ１１４）。
【００７７】
（２−２）電子カルテ処理装置１２の動作
続いて、電子カルテ処理装置１２の動作について説明する。電子カルテ処理装置１２は、電子聴診器１１から送信される呼吸音情報及び解析情報をカルテ情報として記憶する動作と、カルテ情報に基づいて電子カルテを表示する動作とを並行して行う。以下、カルテ情報を記憶する動作と、電子カルテを表示する動作とを順に説明する。
【００７８】
（２−２−１）カルテ情報を記憶する動作
はじめに、図５を参照しながら、呼吸音情報及び解析情報をカルテ情報として記憶する動作について説明する。図５は、呼吸音情報及び解析情報をカルテ情報として記憶する動作の流れを示すフローチャートである。
【００７９】
図５に示すように、電子聴診器１１の送信部１１３から呼吸音情報及び解析情報が送信された場合には、受信部１２１は、送信部１１３から送信される呼吸音情報及び解析情報を受信する（ステップＳ１２１）。その後、記憶部１２２は、受信部１２１がステップＳ１２１において受信した呼吸音情報及び解析情報を、電子カルテを表示するために用いるカルテ情報の一部として記憶する（ステップＳ１２２）。尚、カルテ情報は、呼吸音情報及び解析情報に加えて、患者の氏名等に関する情報や、患者の訴える症状に関する情報や、患者の診察内容に関する情報等を含む。つまり、カルテ情報は、既存の電子カルテを表示するために必要な又は有用な情報を含んでいてもよい。
【００８０】
以降、送信部１１３から呼吸音情報及び解析情報が送信される都度、電子カルテ処理装置１２は、図５に示す動作を繰り返す。
【００８１】
（２−２−２）電子カルテを表示する動作
図６を参照しながら、電子カルテを表示する動作について説明する。図６は、電子カルテを表示する動作の流れを示すフローチャートである。
【００８２】
図６に示すように、表示制御部１２３は、ユーザから電子カルテを表示する旨の要求があったか否かを判定する（ステップＳ１２３）。ユーザは、電子カルテ処理装置１２が備える不図示の入力装置（例えば、タッチパネルや、マウス等）を用いて、電子カルテをディスプレイ１２４に表示する旨の要求を電子カルテ処理装置１２に入力する。
【００８３】
ステップＳ１２３の判定の結果、ユーザから電子カルテを表示する旨の要求がないと判定された場合には（ステップＳ１２３：Ｎｏ）、電子カルテ処理装置１２は、図５に示す動作を終了する。図５に示す動作が終了した場合には、電子カルテ処理装置１２は、一定期間が経過した後に図５に示す動作を再度行う。つまり、図５に示す動作は、繰り返し行われてもよい。
【００８４】
他方で、ステップＳ１２３の判定の結果、ユーザから電子カルテを表示する旨の要求があったと判定された場合には（ステップＳ１２３：Ｙｅｓ）、表示制御部１２３は、記憶部１２２が記憶しているカルテ情報に基づいて、電子カルテを表示するようにディスプレイ１２４を制御する（ステップＳ１２４）。その結果、ディスプレイ１２４には、図７に示すように、カルテ情報に応じた電子カルテが表示される（ステップＳ１２４）。
【００８５】
カルテ情報には、呼吸音情報が含まれている。このため、表示制御部１２３は、呼吸音情報の内容を反映した電子カルテを表示するように、ディスプレイ１２４を制御する。具体的には、図７に示すように、表示制御部１２３は、電子カルテ中の呼吸音情報表示領域１３１に、呼吸音情報が示す呼吸音の状態を視覚的に特定することが可能な何らかの表示対象物（例えば、テキストや図形等、以下同じ）を表示するように、ディスプレイ１２４を制御する。図７に示す例では、表示制御部１２３は、呼吸音の強度を時間軸上の波形として特定可能な表示対象物を表示するように、ディスプレイ１２４を制御している。
【００８６】
カルテ情報には、解析情報が含まれている。このため、表示制御部１２３は、呼吸音情報の内容に加えて又は代えて、解析情報の内容を反映した電子カルテを表示するように、ディスプレイ１２４を制御する。具体的には、図７に示すように、表示制御部１２３は、電子カルテ中の解析情報表示領域１３２に、解析情報が示す解析結果を視覚的に特定することが可能な何らかの表示対象物（例えば、テキストや図形等、以下同じ）を表示するように、ディスプレイ１２４を制御する。図７に示す例では、表示制御部１２３は、呼吸音に含まれる副雑音の強度を定量的に示す定量評価値をテーブル形式及びレーダチャート形式で表示可能な表示対象物を表示するように、ディスプレイ１２４を制御している。
【００８７】
表示制御部１２３は、呼吸音情報及び解析情報の少なくとも一方の内容に加えて又は代えて、加工部１２５が解析情報を加工することで生成した加工情報の内容を反映した電子カルテを表示するように、ディスプレイ１２４を制御してもよい。具体的には、図７に示すように、表示制御部１２３は、電子カルテ中の加工情報表示領域１３３に、加工情報が示す加工結果を視覚的に特定することが可能な何らかの表示対象物（例えば、テキストや図形等、以下同じ）を表示するように、ディスプレイ１２４を制御する。尚、加工部１２５が加工情報を生成する場合には、記憶部１２２は、加工部１２５が生成した加工情報を、カルテ情報の一部として記憶することが好ましい。
【００８８】
加工部１２５が行う加工処理は、解析情報を加工して、解析情報とは異なる新たな情報（例えば、解析情報から導き出される情報や、解析情報に関連する情報等）を算出する処理を含む。逆に言えば、加工部１２５が行う加工処理は、解析情報を加工して、解析情報とは異なる新たな情報を算出することができる限りは、どのような処理であってもよい。このため、ここでいう「解析情報の加工」は、解析情報を直接的に加工（例えば、変形、修正、削除、又は追加）して新たな情報を算出する処理のみならず、解析情報を更に解析して新たな情報を算出する処理をも含み得る。尚、加工部１２５が行う加工処理の一例が、本願発明者等が発明者である国際公開第２０１５／１４５７５４号パンフレットに記載されている。以下、加工処理の一例について説明する。
【００８９】
加工部１２５は、加工処理として、解析情報とは異なる形で副雑音の特性を定量的に示す定量評価値を算出する処理を行ってもよい。この場合、加工情報は、解析情報とは異なる形で副雑音の特性を定量的に示す定量評価値を含む。例えば、加工部１２５は、解析情報に基づいて、副雑音の期間成分率（例えば、呼吸音が取得された全期間に対する副雑音が観測された期間の割合）を算出してもよい。例えば、加工部１２５は、解析情報に基づいて、副雑音の強度成分率（例えば、副雑音の許容最大強度又は観測限界強度に対尾する副雑音の実際の強度の割合）を算出してもよい。加工部１２５は、副雑音の種類毎の期間成分率（或いは、強度成分率、以下この文において同じ）を算出してもよい。つまり、加工部１２５は、類鼾音の期間成分率、笛声音の期間成分率、捻髪音の期間成分率及び水泡音の期間成分率を別個に算出してもよい。
【００９０】
加工部１２５は、加工処理として、解析情報を加工して、生体の状態を特定する処理を行ってもよい。或いは、加工部１２５は、加工処理として、解析情報に加えて又は代えて、解析情報を加工することで得られる加工情報（例えば、上述した副雑音の特性を定量的に示す加工情報）を更に加工して、生体の状態を特定する処理を行ってもよい。この場合、加工情報は、生体の状態を示す情報を含む。特に、加工部１２５は、加工処理として、生体の状態を定量的に示す定量評価値を算出する処理を行うことが好ましい。この場合、加工情報は、生体の状態を定量的に示す定量評価値を含む。例えば、加工部１２５は、生体の状態を、その状態に応じて区分可能な段階的な区分（言い換えれば、レベル）を用いて示す定量評価値を含んでいてもよい。より具体的には、例えば、加工情報は、生体の状態を、優良レベル、良レベル、要注意レベル、悪レベルという４段階の区分を用いて示す定量評価値を含んでいてもよい。図７に示す例では、生体の状態を定量的に示す（具体的には、４段階の区分のうちの要注意レベルである）ことを定量的に示す定量評価値をテーブル形式で表示可能な表示対象物が表示されている。
【００９１】
図７に示す例では、呼吸音情報表示領域１３１、解析情報表示領域１３２及び加工情報表示領域１３３は、互いに異なる領域である。しかしながら、呼吸音情報表示領域１３１は、解析情報表示領域１３２及び加工情報表示領域１３３の少なくとも一方と少なくとも部分的に重複していてもよい。解析情報表示領域１３２は、呼吸音情報表示領域１３１及び加工情報表示領域１３３の少なくとも一方と少なくとも部分的に重複していてもよい。加工情報表示領域１３３は、呼吸音情報表示領域１３１及び解析情報表示領域１３２の少なくとも一方と少なくとも部分的に重複していてもよい。
【００９２】
以上説明した電子カルテを表示する処理が、ユーザから電子カルテの表示を終了する旨の要求があるまで繰り返し行われる（ステップＳ１２５）。
【００９３】
（３）技術的効果
以上説明した本実施例の電子カルテ処理システム１によれば、呼吸音情報の解析結果に関する解析情報が、電子カルテに表示される。このため、聴診データが受信された場合にのみ当該受信された聴診データが医師によって参照されるに過ぎない上述した特許文献１に記載のシステムと比較して、電子聴診器１１が取得した呼吸音に関する情報（具体的には、解析情報）が、カルテ情報として適切に活用される。つまり、電子聴診器１１が取得した呼吸音に関する情報（具体的には、解析情報や加工情報）が、電子カルテとしてユーザに活用可能な形で表示される。
【００９４】
更に、電子カルテ処理システム１では、呼吸音情報の解析結果に関する解析情報（更には、必要に応じて加工情報）がカルテ情報の一部として記憶される（つまり、電子カルテの一部として表示される）。このため、呼吸音情報がカルテ情報として記憶されるに過ぎない比較例の電子カルテ処理システムと比較して、生体の状態に関する情報が、医師間において電子カルテを介して相対的に正確に又はスムーズに伝達可能である。というのも、比較例の電子カルテ処理システムでは、呼吸音の強度そのものを時間軸上の波形として示す呼吸音情報が電子カルテの一部として表示できるにとどまるがゆえに、医師による生体の状態の診断結果は、当該呼吸音情報が示す呼吸音を実際に確認した医師のスキル等に依存してばらつく可能性がある。しかるに、電子カルテ処理システム１では、呼吸音の解析結果が表示されるがゆえに、医師のスキル等に依存して生体の状態の診断結果がばらつく可能性が相対的に小さくなる。更には、呼吸音の解析結果が表示されるがゆえに、医師ほどの医療知識を有していない医療従事者（例えば、看護師等）であっても、生体の状態を相対的に容易に把握することができる。
【００９５】
特に、電子カルテ処理システム１では、解析情報（更には、必要に応じて加工情報）が定量評価値を含むがゆえに、呼吸音の特性や生体の状態をユーザが客観的に把握できるように、呼吸音の特性や生体の状態が表示される。このため、生体の状態に関する情報が、医師間において電子カルテを介してより一層正確に又はスムーズに（或いは、客観的に）伝達可能である。更には、呼吸音の解析結果が表示されるがゆえに、医師ほどの医療知識を有していない医療従事者（例えば、看護師等）であっても、生体の状態をより一層容易に把握することができる。
【００９６】
更に、電子カルテ処理システム１では、呼吸音情報そのものもカルテ情報として記憶可能であるがゆえに、呼吸音情報自体も有効に活用可能である。
【００９７】
（４）変形例
上述した説明では、解析部１１２は、呼吸音において観測される異常音を特定するように呼吸音情報を解析している。しかしながら、解析部１１２は、呼吸音において観測される異常音を特定することに加えて又は代えて、呼吸音に関する何らかの情報を取得するように呼吸音情報を解析してもよい。
【００９８】
上述した説明では、解析部１１２は、呼吸音の特性を定量的に示す定量評価値を算出するように、呼吸音情報を解析している。しかしながら、解析部１１２は、呼吸音の特性を定量的に示す定量評価値を算出しなくてもよい。但し、呼吸音の特性を定量的に示す定量評価値が電子カルテの一部として表示されると、生体の状態に関する情報が医師間において電子カルテを介してより一層正確に又はスムーズに伝達されるという利点がある。このため、解析部１１２が呼吸音の特性を定量的に示す定量評価値を算出しない場合であっても、加工部１２５が、呼吸音の特性や生体の状態を定量的に示す定量評価値を算出することが好ましい。もちろん、加工部１２５についても、解析部１１２と同様に、呼吸音の特性や生体の状態を定量的に示す定量評価値を算出しなくてもよい。
【００９９】
上述した説明では、呼吸音情報は、ユーザが呼吸音情報の表示を要求しているか否かに関わらず、電子カルテに表示される。しかしながら、呼吸音情報は、ユーザが呼吸音情報の表示を要求している場合に選択的に電子カルテに表示されていてもよい。つまり、呼吸音情報は、ユーザが呼吸音情報の表示を要求していない場合には電子カルテに表示されていなくてもよい。例えば、図８に示すように、表示制御部１２３は、ユーザが呼吸音情報の表示を要求している場合に操作する（例えば、押下する）操作ボタン１３５を、電子カルテ中の操作ボタン表示領域１３４に表示するように、ディスプレイ１２４を制御してもよい。ユーザが操作ボタン１３５を操作していない（例えば、未だ押下していない）場合には、表示制御部１２３は、呼吸音情報を表示しないように、ディスプレイ１２４を制御する。一方で、ユーザが操作ボタン１３５を操作した（例えば、未だ押下した）場合には、表示制御部１２３は、呼吸音情報を表示するように、ディスプレイ１２４を制御してもよい。つまり、表示制御部１２３は、ユーザによる操作ボタン１３５の操作をトリガに、呼吸音情報の表示を開始するように、ディスプレイ１２４を制御してもよい。
【０１００】
上述した説明では、呼吸音情報が電子聴診器１１から電子カルテ処理装置１２に送信される。しかしながら、呼吸音情報が電子聴診器１１から電子カルテ処理装置１２に送信されなくてもよい。つまり、呼吸音情報は、カルテ情報の一部として記憶部１２２に記憶されなくてもよい。
【０１０１】
上述した説明では、電子カルテ処理システム１は、生体音の一例である呼吸音に関する処理を行っている。しかしながら、電子カルテ処理システム１は、呼吸音とは異なる任意の生体音についても、呼吸音と同様の処理を行ってもよい。呼吸音とは異なる任意の生体音の一例として、心音や、腹部音（例えば、腸音）等があげられる。
【０１０２】
上述した説明では、電子聴診器１１が解析部１１２及び送信部１１３を備えている。しかしながら、電子カルテ処理システム１は、解析部１１２及び送信部１１３を備える装置（例えば、タブレット等）を、電子聴診器１１とは別個に備えていてもよい。この場合、電子聴診器１１が取得した呼吸音情報が、解析部１１２及び送信部１１３を備える装置に送信され、当該装置によって呼吸音情報が解析され且つ解析情報が電子カルテ処理装置１２に送信される。また、この場合には、電子聴診器１１は、解析部１１２及び送信部１１３を備えてなくてもよい。
【０１０３】
本発明は、上述した実施形態に限られるものではなく、特許請求の範囲及び明細書全体から読み取れる発明の要旨或いは思想に反しない範囲で適宜変更可能であり、そのような変更を伴う電子カルテ処理装置、生体音取得装置、電子カルテ処理システム、電子カルテ処理方法、生体音取得方法、及び、コンピュータプログラムもまた本発明の技術的範囲に含まれるものである。
【符号の説明】
【０１０４】
１  電子カルテ処理システム
１１  電子聴診器
１１１  呼吸音取得部
１１２  解析部
１１３  送信部
１２  電子カルテ処理装置
１２１  受信部
１２２  記憶部
１２３  表示制御部
１２４  ディスプレイ
１２５  加工部
【図１】
2019021169.tif 000003
【図２】
2019021169.tif 000004
【図３】
2019021169.tif 000005
【図４】
2019021169.tif 000006
【図５】
2019021169.tif 000007
【図６】
2019021169.tif 000008
【図７】
2019021169.tif 000009
【図８】
2019021169.tif 000010